(57)【要約】【課題】商品販売データに基づいて売れ筋商品情報を掲示できる。【解決手段】商品の商品情報が設定された商品マスタファイル１５と売れ筋商品情報が記憶されたランキングファイル１７と、を有する。キーボード３８またはスキャナ４４を介して当該商品コードが登録されると、商品マスタファイル１５から当該商品コードに対応して設定されている商品情報を抽出する。さらに、ランキングファイル１７から売れ筋商品情報を抽出する。当該商品コードに対応して売れ筋商品情報を表示させる店用表示部４０、客用表示部４２と、を有する。【選択図】      図７
2008234468.tif 000002
【特許請求の範囲】
【請求項１】
各商品を識別する商品コードに対応してその商品の商品情報が設定された商品情報記憶手段を有し、商品登録手段を介して当該商品コードが登録されると、前記商品情報記憶手段から当該商品コードに対応して設定されている前記商品情報を抽出し、この商品情報に基づいて商品販売に係るデータ処理を行う商品販売データ処理装置において、売れ筋商品情報が記憶されたランキング情報記憶手段を有し、前記商品登録手段を介して当該商品コードが登録されると、前記ランキング情報記憶手段から前記売れ筋商品情報を抽出し、この売れ筋商品情報を表示させる少なくとも客用表示部と、を有することを特徴とする商品販売データ処理装置。
【請求項２】
前記商品登録手段を介して当該商品コードが登録されると、前記ランキング情報記憶手段に当該商品コードの前記売れ筋商品情報が記憶されているか否かを判断する売れ筋商品記憶判断手段と、この売れ筋商品記憶判断手段により前記売れ筋商品情報が記憶されている場合、前記ランキング情報記憶手段から前記売れ筋商品情報を抽出し、この売れ筋商品情報を表示させる少なくとも客用表示部と、を有することを特徴とする請求項１記載の商品販売データ処理装置。
【請求項３】
前記商品登録手段を介して当該商品コードが登録されると、前記ランキング情報記憶手段に当該商品コードの前記売れ筋商品情報が記憶されているか否かを判断する売れ筋商品記憶判断手段と、先に商品コードが登録された前記売れ筋商品情報が少なくとも客用表示部に表示されているか否かを判断する売れ筋商品表示判断手段と、を有し、前記売れ筋商品記憶判断手段により当該商品コードの前記売れ筋商品情報が記憶されているとともに、前記売れ筋商品表示判断手段により前記客用表示部へ先に登録された商品コードの前記売れ筋商品情報が表示されている場合に当該商品コードの前記売れ筋商品情報を前記客用表示部に表示させないことを特徴とする請求項１記載の商品販売データ処理装置。
【請求項４】
前記ランキング情報記憶手段には、前記売れ筋商品情報として商品情報データとその商品の画像を示す画像データを含むことを特徴とする請求項１記載の商品販売データ処理装置。
【請求項５】
前記売れ筋商品情報として上位ランキングの商品を少なくとも前記客用表示部に表示させることを特徴とする請求項１記載の商品販売データ処理装置。
【請求項６】
複数の商品販売データ処理装置と商品販売データ管理装置とを通信回線を介して接続し、商品販売に係るデータ処理を行う商品販売データ処理システムにおいて、前記商品販売データ管理装置は、各商品を識別する商品コードに対応してその商品の商品情報が設定された商品情報記憶手段と、販売された各商品の商品販売データを部門分類別に集計する売上集計記憶手段と、この売上集計記憶手段により集計された商品販売データに基づいて部門分類別の売れ筋商品情報を記憶するするランキング情報記憶手段と、このランキング情報記憶手段に記憶されている前記売れ筋商品情報が前記通信回線を介して前記商品販売データ処理装置へ配信する配信手段と、を有し、前記商品販売データ処理装置は、前記商品販売データ管理装置から受信した前記商品情報記憶手段と、前記ランキング情報記憶手段と、を有し、前記商品登録手段を介して当該商品コードが登録されると、前記商品情報記憶手段から当該商品コードに対応して設定されている前記商品情報を抽出するとともに、前記ランキング情報記憶手段から当該商品コードに対応して前記売れ筋商品情報を抽出し、当該商品コードに対応する前記商品情報と前記売れ筋商品情報を表示させる少なくとも客用表示部と、を有することを特徴とする商品販売データ処理システム。
【請求項７】
前記ランキング情報記憶手段には、前記売れ筋商品情報として商品情報データとその商品の画像を示す画像データを含むことを特徴とする請求項６記載の商品販売データ処理システム。
【請求項８】
前記売れ筋商品情報として上位ランキングの商品をＰＯＳ端末の少なくとも前記客用表示部に表示させることを特徴とする請求項６記載の商品販売データ処理システム。
【発明の詳細な説明】
【技術分野】
【０００１】
本発明は、ＰＯＳ（Point Of Sales）端末等の商品販売データ処理装置および商品販売データ処理システムに関する。
【背景技術】
【０００２】
従来、店舗等に設置されているストアコントローラで、店員が売れ筋商品の売上ランキング情報を確認し、実際に陳列されている商品の棚に「売上Ｎｏ．１」等のＰＯＰラベルを貼っていた。
【０００３】
また、ＰＯＳ端末において、客層別に一定期間内でヒット商品のデータを商品毎に集計するとともに、この集計により得られたヒット商品の集計データにより客層別のヒット商品リストを作成し、商品登録により売上商品の登録が行われた顧客の客層を指定入力すると、指定された客層のヒット商品リストが作成されレシートが発行される（たとえば、特許文献１参照）。
【特許文献１】特開平７−３７１６４号公報
【発明の開示】
【発明が解決しようとする課題】
【０００４】
ところで、商品が陳列されている棚に「売上Ｎｏ．１」のＰＯＰラベルが貼ってあると、顧客の目にはとまるが、ＰＯＰラベルの貼り替え作業が負担となるという問題がある。また、特許文献１に記載のものは、会計処理後に客層別のヒット商品をレシート等に印刷するようになっている。そして、顧客は、商品を買上げ後にヒット商品が印刷されたレシートをみてヒット商品を確認するチャンスはあるが、必ずしもレシートのヒット商品について確認することが少ないので、ヒット商品に対する宣伝効果が得られないという問題があった。
【０００５】
本発明の目的は、販売商品について売れ筋商品情報を掲示可能とする商品販売データ処理装置および商品販売データ処理システムを提供しようとするものである。
【課題を解決するための手段】
【０００６】
本発明の商品販売データ処理装置は、各商品を識別する商品コードに対応してその商品の商品情報が設定された商品情報記憶手段と、売れ筋商品情報が記憶されたランキング情報記憶手段と、を有し、商品登録手段を介して当該商品コードが登録されると、前記商品情報記憶手段から商品情報を抽出するとともに前記ランキング情報記憶手段から前記売れ筋商品の情報を抽出し、かつ前記商品情報と前記売れ筋商品情報を表示させる少なくとも客用表示部と、を有することを特徴とする。
【発明の効果】
【０００７】
本発明によれば、常に所定期間における売れ筋商品情報を掲示可能となる。
【発明を実施するための最良の形態】
【０００８】
以下、本発明の実施の形態について図面を参照して説明する。
【０００９】
（第１実施の形態）図１は、本発明の実施の形態に係る商品販売データ処理システムであるＰＯＳシステム１１としてのブロック図である。このＰＯＳシステム１１は、商品販売データ処理装置である複数台のＰＯＳ端末１２と店舗全体のデータを管理する商品販売データ管理装置であるストアコントローラ１３とを備え、これらをＬＡＮ（Local Area Network）等の通信回線１４で相互通信可能に接続している。
【００１０】
ストアコントローラ１３には、商品情報記憶手段として機能する商品マスタファイル１５と、売上集計記憶手段として機能する売上集計ファイル１６と、売れ筋商品記憶手段として機能するランキングファイル１７とを備えている。
【００１１】
商品マスタファイル１５は、図２に示すように、各商品を識別する商品コードに対応して当該商品の関連商品の部門分類を示す部門コード、商品名、価格などの商品情報データを記憶した設定ファイルである。ここで、部門コードとは、当該商品の関連商品が属する部門分類で、たとえば、ドリンク、乾電池、弁当、ガム、キャンディ、スナック菓子等である。ストアコントローラ１３は、１営業日ごとに商品マスタファイル１５に設定されている各商品データから少なくとも商品コード、部門コード、商品名、価格の商品登録に必要な登録データを抽出し商品情報データファイルを作成し、所定の時刻になると通信回線１４を介して各ＰＯＳ端末１２に商品情報データファイルを配信するものとなっている。
【００１２】
売上集計ファイル１６は、図３に示すように、自店舗で販売された商品の部門分類の部門コード、商品コード、売上点数、売上金額等を集計する集計ファイルである。この集計ファイルは、ストアコントローラ１３において店舗内のたとえば１営業日ごとに更新し、たとえば、１週間分の商品販売データが管理されるようになっている。
【００１３】
ランキングファイル１７は、売上集計ファイル１６に記憶されている前日までの部門分類別の商品の売上点数の多い順に図４に示すように、部門分類の部門コード別に集計された商品の売れ筋商品のランキング１位から所定の順位たとえば、３位までの商品名、価格等の商品情報データおよびその商品の外観を示す画像データ等が記憶されている。
【００１４】
図５は、ＰＯＳ端末１２のハードウェア要部構成を示すブロック図である。
【００１５】
図５に示すように、ＰＯＳ端末１２は、制御部本体としてＣＰＵ(Central Processing Unit)３１を搭載している。また、プログラムなどの固定的データを格納されたＲＯＭ(Read Only Memory)３２、可変的なデータを記憶するための各種メモリエリアが形成されるＲＡＭ(Random Access Memory)３３、日付および時刻を計時する時計部３４、通信回線１４を介して接続されるストアコントローラ１３とのデータ通信を制御する通信インターフェイス（Ｉ／Ｆ）３５、ストアコントローラ１３から配信される各種データファイル等を保存するＨＤＤ（Hard Disk Drive）３６のデータを読み書きするＨＤＤコントローラ３７、キーボード３８からキー操作に対応したキー信号を取り込むキーボードコントローラ３９、表示手段である店用表示部４０に表示データに対応して画像を表示させる表示コントローラ４１、表示手段である客用表示器４２に表示データに対応して画像を表示させる表示コントローラ４３、スキャナ４４で読み取られたバーコードデータを取り込むスキャナコントローラ４５、プリンタ４６の印刷動作を制御するプリンタコントローラ４７、モードスイッチ４８からの選択信号を入力するとともにドロワ４９への開放指令信号が出力されるＩ／Ｏポート５０などが設けられている。
【００１６】
そして、前記ＣＰＵ３１と、ＲＯＭ３２、ＲＡＭ３３、時計部３４、通信Ｉ／Ｆ３５、ＨＤＤコントローラ３７、キーボードコントローラ３９、表示コントローラ４１、表示コントローラ４３、スキャナコントローラ４５、プリンタコントローラ４７およびＩ／Ｏポート５０とはアドレスバス、データバス等のバスライン５１で接続されている。
【００１７】
キーボード３９とスキャナ４４は、販売商品の商品コードを登録する商品登録手段としての機能を有する。また、キーボード３９は、顧客との１商品取引として登録された商品登録終了を宣言する登録締め手段として機能を有する。
【００１８】
前記モードスイッチ４８は、「登録」、「点検」、「精算」、「設定」などの各種業務モードなどから選択操作された業務モードの実行をＣＰＵ３１に指令する操作スイッチである。ここで「登録」とは、キーボード３８またはスキャナ４４の商品登録手段を介して当該商品コードが登録されると、この商品コードに対応して設定されている商品情報データを抽出し、この商品情報データに基づいて商品販売に係る商品販売データをＲＡＭ３３に売上登録処理を行い、さらに登録締め手段により１商品取引として販売される商品の登録終了が宣言されるとその取引の決済処理を実行して顧客が購入した商品販売データを記録したレシートをプリンタ４６により印刷し発行させる業務のモードである。
【００１９】
「点検」とは、登録業務によって処理された商品販売データから得られたＲＡＭ３３の売上集計データからレポートの内容を出力する業務である。
【００２０】
「精算」とは、「点検」と同様にＲＡＭ３３に記憶された売上集計データからレポートの内容を出力した後、この売上集計データの内容をクリアする業務である。
【００２１】
「設定」とは、各種業務を実行するのに必要なデータをＲＡＭ３３に予め設定する業務である。
【００２２】
各ＰＯＳ端末１２は、ストアコントローラ１３に備えられている商品マスタファイル１５およびランキングファイル１７の各ローカルファイルを格納する領域をＲＡＭ３３にそれぞれ確保している。そして、毎営業日の開店前に、ストアコントローラ１３から各ＰＯＳ端末１２へ通信回線１４を介して商品マスタファイル１５およびランキングファイル１７の各ローカルファイルがダウンロードされるようになっている。
【００２３】
このように、各ＰＯＳ端末１２がローカルファイルを有することによって、商品情報および売れ筋商品情報をストアコントローラ１３に問い合わせる処理が省略され、処理速度の向上となる。
【００２４】
図６は、商品販売データと売れ筋商品情報を模式的に示す説明図である。顧客がたとえばドリンクＤ商品を購入する場合、当該商品コードが商品登録手段により商品登録されると、図６に示すように、商品情報として商品名：ドリンクＤ、１，０００円、数量：１点、合計：１，０００円、お預：１，０００円、お釣り：０などが表示される。さらに、売れ筋商品情報として今週の売れ筋商品ベスト３のドリンク部門とランキング１位のドリンクＡ：１００円、２位のドリンクＢ：２００円、３位のドリンクＣ：３００円の各商品の商品名、価格およびその商品の外観を示す画像等が店用表示部４０および客用表示部４２の画面に表示される。
【００２５】
また、図１０は、複数の商品たとえば、３点購入する場合の商品販売データと売れ筋商品情報を模式的に示す説明図である。顧客がたとえば、ドリンクＤ、乾電池およびハンバーグ弁当の商品を購入する場合、図１０に示すように、ドリンクＤ、乾電池およびハンバーグ弁当がオペレータにより順次商品登録されると、商品情報としてドリンクＤ：１，０００円、乾電池：５００円、ハンバーグ弁当：５００円、数量：３点、合計：２，０００円、お預り：５，０００円、お釣り：３，０００円などが表示される。
【００２６】
なお、売れ筋商品情報として、ドリンクＤとハンバーグ弁当がランキングファイル１７に格納され、乾電池については売れ筋商品として採用する必要性が少ないのでランキングファイル１７に格納しいない場合について説明する。ドリンクＤ商品の次に、乾電池の商品コードが商品登録手段により商品登録されると、乾電池の売れ筋商品情報は表示されず、最初に商品登録したドリンクＤの今週の売れ筋商品ベスト３のドリンク部門が継続した状態で表示されている。
【００２７】
次に、ハンバーグ弁当の商品コードが商品登録手段により商品登録されると、図１０に示すように、売れ筋商品情報として今週の売れ筋商品ベスト３の部門分類のお弁当部門としてランキング１位、幕の内弁当：５００円、２位、鮭弁当：４００円、３位、のり弁当：３５０円の各商品の商品名、価格およびその商品の外観の画像等が店用表示部４０および客用表示部４２の画面に表示される。
【００２８】
各ＰＯＳ端末１２のＣＰＵ３１は、前記モードスイッチ４８により「登録」モードを選択している状態でＲＯＭ３２に格納されている登録業務プログラムに基づいて図７のフローチャートに示す手順により商品登録処理を実行するものとなっている。
【００２９】
図７に示すように、ＣＰＵ３１は、ＳＴ（ステップ）１１として商品登録手段により販売商品の当該商品コードが登録されるのを待機する。
【００３０】
ＳＴ１１−ＹＥＳの場合、キーボード３８またはスキャナ４４の商品登録手段により当該商品コードの登録が行われる。ＳＴ１１−ＮＯとして当該商品コードの登録が行われないと、ＳＴ１１に戻る。
【００３１】
ＳＴ１２としてＣＰＵ３１は、商品販売データ登録処理を実行する。すなわち登録された当該商品コードに基づいて図６に示すドリンクＤ商品について商品マスタファイル１５のローカルファイルを参照して当該商品コードに対応する商品情報を抽出し、商品の商品販売データが図示しない売上データファイルに商品登録処理を行う。なお、ストアコントローラ１３の商品マスタファイル１５を検索して商品情報を抽出するようにしてもよい。
【００３２】
ＳＴ１３としてＣＰＵ３１は、商品登録された当該商品コードのドリンクＤ商品が売れ筋商品情報のランキングファイル１７に格納されているか否かを判断する（売れ筋商品記憶判断手段）。
【００３３】
ＳＴ１３−ＹＥＳとして当該商品コードの売れ筋商品が格納されている場合、ＳＴ１４としてＣＰＵ３１は、当該商品コードが属する部門コードたとえば、ドリンク部門の売れ筋商品情報が格納されているランキングファイル１７のローカルファイルを参照し当該商品コードであるドリンクＤの部門コードであるドリンク部門の売れ筋商品情報の上位ランキング１位から３位たとえば、図６に示すようにドリンクＡからドリンクＣのベスト３を取得する。
【００３４】
ＳＴ１５としてＣＰＵ３１は、図６に示すように、商品販売データと売れ筋商品情報としてたとえば今週の売れ筋商品ベスト３のドリンク部門のドリンクＡからドリンクＣが店用表示部４０および客用表示部４２の画面に表示する。
【００３５】
ＳＴ１３−ＮＯとしてＣＰＵ３１は、たとえば、図１０に示すように乾電池の売れ筋商品がランキングファイル１７に格納されていない場合ＳＴ１６へ進ませる。
【００３６】
ＳＴ１６としてＣＰＵ３１は、登録締め手段により１商品取引の商品登録終了が宣言されたか否かを判断する。
【００３７】
ＳＴ１６−ＹＥＳの場合、ＳＴ１７としてＣＰＵ３１は、決済処理を行う。すなわち、ＣＰＵ３１は、商品販売データをプリンタ４６によりレシート用紙に印刷させてレシートを発行させる。
【００３８】
ＳＴ１６―ＮＯとして登録終了が宣言されない場合には、ＳＴ１１に戻り、次の商品コードを商品登録手段により登録させてＳＴ１１からＳＴ１５の商品販売データ登録処理を繰り返す。
【００３９】
ＳＴ１８としてＣＰＵ３１は、通信回線１４を介してストアコントローラ１３へ商品販売データを送信する。
【００４０】
ＳＴ１５において今週の売れ筋商品ベスト３の店用表示部４０および客用表示部４２の画面表示は、１商品取引が終了しても、次の顧客が商品を購入し商品登録が実行されるまで表示される設定になっている。このようにして、売れ筋商品を長く表示させることにより他の顧客に今週の売れ筋商品情報を提供することが可能となる。また時計部３４のタイマにより売れ筋商品ベスト３の表示時間が設定するようにしてもよいことは勿論である。
【００４１】
図８は、ストアコントローラ１３のハードウェア要部構成を示すブロック図である。
【００４２】
図８に示すように、ストアコントローラ１３は、制御部本体としてＣＰＵ７１を搭載している。また、プログラムなどの固定的データを格納されたＲＯＭ７２、可変的なデータを記憶するための各種メモリエリアが形成されるＲＡＭ７３、日付および時刻を計時する時計部７４、通信回線１４を介して接続されるＰＯＳ端末１２とのデータ通信を制御する通信インターフェイス（Ｉ／Ｆ）７５、ＰＯＳ端末１２から配信される商品販売データファイル等を保存するＨＤＤ７６のデータを読み書きするＨＤＤコントローラ７７、キーボード７８からキー操作に対応したキー信号を取り込むキーボードコントローラ７９、表示部８０に表示データに対応して画像を表示させる表示コントローラ８１、スキャナ８２で読み取られたバーコードデータを取り込むスキャナコントローラ８３、プリンタ８４の印刷動作を制御するプリンタコントローラ８５などが設けられている。そして、前記ＣＰＵ７１と、ＲＯＭ７２、ＲＡＭ７３、時計部７４、通信Ｉ／Ｆ７５、ＨＤＤコントローラ７７、キーボードコントローラ７９、表示コントローラ８１、スキャナコントローラ８３、プリンタコントローラ８５とはアドレスバス、データバス等のバスライン８６で接続されている。ＨＤＤ７６には、図１に示す商品マスタファイル１５、売上集計ファイル１６、ランキングファイル１７の各ファイルが格納されている。
【００４３】
ストアコントローラ１３のＣＰＵ７１は、ＲＯＭ７２に格納されているプログラムに基づいて図９のフローチャートに示す手順で売れ筋商品情報登録処理を実行するものとなっている。
【００４４】
図９は、ストアコントローラ１３の動作を示すフローチャートである。
【００４５】
ＳＴ３１としてＣＰＵ７１は、各ＰＯＳ端末１２から通信回線１４を介して各商品の商品販売データが受信されるのを待機する。ＳＴ３１−ＮＯの場合、各商品の商品販売データが受信されるまで待機する。
【００４６】
ＳＴ３１−ＹＥＳの場合、ＳＴ３２としてＣＰＵ７１は、ＨＤＤ７６に商品販売データを記憶する。
【００４７】
ＳＴ３３としてＣＰＵ７１は、毎営業日の所定の時刻になると部門分類別に各商品の売上点数を集計し売上集計ファイル１６に更新し記憶する。なお、売上集計ファイル１６の商品販売データは、設定されている期間を保管するようになっている。すなわち、所定期間を超えると超えた分がクリアされる。そして、商品販売データは、常に更新されたデータが保管されている。
【００４８】
ＳＴ３４としてＣＰＵ７１は、売上集計ファイル１６から部門分類別のたとえば、１週間における売れ筋商品情報たとえば、今週の売れ筋商品ベスト３を抽出する。ここでは、商品販売データは、売れ筋商品情報の保管の期間を１週間で説明しているがたとえば、１０日または１ヶ月ごとに実施してもよいことは勿論である。
【００４９】
ＳＴ３５としてＣＰＵ７１は、売れ筋商品情報としてたとえば、今週の売れ筋商品ベスト３をランキングファイル１７に記憶する。
【００５０】
ＳＴ３６としてＣＰＵ７１は、毎営業日の開店前にストアコントローラ１３のランキングファイル１７に記憶されている全部門分類の売れ筋商品情報としてたとえば、今週の売れ筋商品ベスト３データが通信回線１４を介して各ＰＯＳ端末１２へ送信する。
【００５１】
（第２実施の形態）第１実施の形態では、図１０に示すように顧客が３点の商品を購入する場合、ドリンクＤとハンバーグ弁当がストアコントローラ１３のランキングファイル１７に売れ筋商品として記憶されている。また乾電池についてはランキングファイル１７に記憶されていない。ここでは最初に商品登録されるドリンクＤについては売れ筋商品情報が店用表示部４０および客用表示部４２の画面に表示するようになっている。しかし、次に商品登録するハンバーグ弁当についてはランキングファイル１７に売れ筋商品情報が記憶されていても２番目以降に登録された商品コードに対しては表示されないように設定している。第１実施の形態と同一部分は同じ符号をつけ詳細の説明は省略する。
【００５２】
各ＰＯＳ端末１２のＣＰＵ３１は、前記モードスイッチ４８により「登録」モードを選択している状態でＲＯＭ３２に格納されている登録業務プログラムに基づいて図１１のフローチャートに示す手順により商品登録処理を実行するものとなっている。
【００５３】
図１１に示すように、ＣＰＵ３１は、ＳＴ５１として商品登録手段により販売商品の当該商品コードの登録されるのを待機する。
【００５４】
ＳＴ５１−ＹＥＳの場合、キーボード３８またはスキャナ４４の商品登録手段により当該商品コードの登録が行われる。ＳＴ５１−ＮＯとして当該商品コードの登録が行われないと、ＳＴ５１に戻る。
【００５５】
ＳＴ５２としてＣＰＵ３１は、商品販売データ登録処理を実行する。すなわち商品登録手段により登録された当該商品コードに基づいて図６に示すドリンクＤについて商品マスタファイル１５のローカルファイルを参照し当該商品コードに対応する商品情報を抽出し、商品の商品販売データが図示しない売上データファイルに商品登録処理を行う。
【００５６】
ＳＴ５３としてＣＰＵ３１は、商品登録された当該商品コードのドリンクＤが売れ筋商品情報のランキングファイル１７に格納されているか否かを判断する（売れ筋商品記憶判断手段）。
【００５７】
ＳＴ５３−ＹＥＳとして当該商品コードの売れ筋商品が格納されている場合、ＳＴ５４としてＣＰＵ３１は、すでに売れ筋商品情報が店用表示部４０および客用表示部４２の画面に表示されているか否かを判断する（売れ筋商品表示判断手段）。
【００５８】
ＳＴ５４−ＮＯとして売れ筋商品のランキングが店用表示部４０、客用表示部４２に表示されていない場合、ＳＴ５５としてＣＰＵ３１は、当該商品であるドリンクＤが属する部門コードであるドリンク部門の売れ筋商品情報が格納されているランキングファイル１７のローカルファイルを参照し当該商品であるドリンクＤの部門コードであるドリンク部門の売れ筋商品情報の上位ランキング１位から３位たとえば、図６に示すようにドリンクＡからドリンクＣの上位ランキングとしてベスト３を取得する。
【００５９】
ＳＴ５６としてＣＰＵ３１は、図６に示すように、商品情報と売れ筋商品情報としてたとえば、今週の売れ筋商品ベスト３のドリンク部門の商品およびその画像が店用表示部４０および客用表示部４２の画面に表示する。
【００６０】
ＳＴ５７としてＣＰＵ３１は、登録締め手段により１商品取引の商品登録終了が宣言されたか否かを判断する。
【００６１】
ＳＴ５３−ＮＯとしてＣＰＵ３１は、たとえば、売れ筋商品のランキングファイル１７に記憶されていない乾電池の場合、ＳＴ５７に進ませる。
【００６２】
ＳＴ５４−ＹＥＳとしてＣＰＵ３１は、たとえば図１０に示すようにハンバーグ弁当の当該商品コードを商品登録手段により登録しても本実施の形態では、先に登録されたドリンクＤの売れ筋商品情報が店用表示部４０および客用表示部４２の画面に表示されているのでハンバーグ弁当の売れ筋商品情報は表示されることなくＳＴ５７に進ませる。
【００６３】
ＳＴ５７―ＮＯとして登録終了が宣言されない場合、ＳＴ５１に戻り、次の販売商品の登録を商品登録手段によりＳＴ５１からＳＴ５６の商品販売データ登録処理を繰り返す。
【００６４】
ＳＴ５７−ＹＥＳの場合、ＳＴ５８としてＣＰＵ３１は、決済処理を行う。すなわち、ＣＰＵ３１は、商品販売データをプリンタ４６によりレシート用紙に印刷させてレシートを発行させる。
【００６５】
ＳＴ５９としてＣＰＵ３１は、通信回線１４を介してストアコントローラ１３へ商品販売データを送信する。
【００６６】
ＳＴ５４−ＹＥＳにおいて売れ筋商品のランキングが店用表示部４０および客用表示部４２表示されている場合は、ランキングファイル１７の売れ筋商品として記憶されているたとえば、ハンバーグ弁当に関する売れ筋商品の幕の内弁当、鮭弁当、のり弁当を店用表示部４０および客用表示部４２の画面に表示することはない。すなわち、１品の売れ筋商品を長く表示することにより、顧客に売れ筋商品情報を認識することができるようにすることを提供する。
【００６７】
本発明によれば、１商品取引において、当該商品コードを商品登録することで販売商品に対応する部門分類別の売れ筋商品のランキング情報が少なくとも客用表示部４２に表示されることにより顧客の購買意欲が促進され、商品販売の増加が期待できる。また、顧客は、買物時に客用表示部４２に表示される売れ筋商品に興味を持ち再来店が見込まれる可能性がある。また、店員による売れ筋商品のＰＯＰラベルの貼付け作業がなくなるので、ラベルの作成、貼り付け作業をなくすことができる。
【００６８】
以上説明したように、本発明は前記実施の形態に限定されるものではなく、実施の段階ではその趣旨を逸脱しない範囲で種々に変形することが可能であるのは勿論である。
【図面の簡単な説明】
【００６９】
【図１】本発明の第１実施の形態に係るＰＯＳシステムを示す全体図。
【図２】第１実施の形態に係るストアコントローラの商品マスタファイルのデータ構造を示す模式図。
【図３】第１実施の形態に係るストアコントローラの売上集計ファイルのデータ構造を示す模式図。
【図４】第１実施の形態に係るストアコントローラのランキングファイルのデータ構造を示す模式図。
【図５】第１実施の形態に係るＰＯＳ端末のハードウェア要部構成を示すブロック図。
【図６】第１実施の形態に係る販売商品の商品販売データと売れ筋商品情報とを表示する模式図。
【図７】第１実施の形態に係るＰＯＳ端末の動作を示すフローチャート。
【図８】第１実施の形態に係るストアコントローラのハードウェア要部構成を示すブロック図。
【図９】第１実施の形態に係るストアコントローラの動作を示すフローチャート。
【図１０】本発明の第２本実施の形態に係る販売商品の商品販売データと売れ筋商品情報とを表示する模式図。
【図１１】第２実施の形態に係るＰＯＳ端末の動作を示すフローチャート。
【符号の説明】
【００７０】
１１…ＰＯＳシステム、１２…ＰＯＳ端末、１３…ストアコントローラ、１４…通信回線、１５…商品マスタファイル（商品情報記憶手段）、１６…売上集計ファイル（商品売上集計手段）、１７…ランキングファイル（売れ筋商品記憶手段）、３１、７１…ＣＰＵ、３２、７２…ＲＯＭ、３３、７３…ＲＡＭ、３８…キーボード（商品登録手段、登録締め手段）、４０…店用表示部、４２…客用表示部、４４…スキャナ（商品登録手段）、ＳＴ１３、ＳＴ５３…売れ筋商品記憶判断手段、ＳＴ５４…売れ筋商品表示判断手段。
【図１】
2008234468.tif 000003
【図２】
2008234468.tif 000004
【図３】
2008234468.tif 000005
【図４】
2008234468.tif 000006
【図５】
2008234468.tif 000007
【図６】
2008234468.tif 000008
【図７】
2008234468.tif 000009
【図８】
2008234468.tif 000010
【図９】
2008234468.tif 000011
【図１０】
2008234468.tif 000012
【図１１】
2008234468.tif 000013